(57)【要約】【課題】ボルト又はリベットを用いないで各パネルの連結を行い、簡易に収容函の組立を行うことができる、収容函に用いられるパネル連結構造、パネル連結方法、並びに、収容函及び収容函の組立方法を提供することを課題とする。【解決手段】屋根パネルと複数枚の壁パネル１１とを備える収容函に用いられるパネル連結構造であって、前記屋根パネルまたは前記壁パネル１１，１２は周縁部にそれぞれ共通の形状で形成される嵌合溝１４ａ，１２ｂを有し、前記嵌合溝１４ａ，１２ｂが対向するように配置された一対のパネル１１，１１（または１１，１２）は、その間にパッキン２３を介して、前記一対の嵌合溝１４ａ，１４ａ（または１４ａ，１２ｂ）で形成される嵌合孔Ｈ１と嵌合する嵌合部材２０を介して互いに連結されるように構成する。【選択図】　図５
2004084293.tif 000002
【特許請求の範囲】
【請求項１】
屋根パネルと複数枚の壁パネルとを備える収容函に用いられるパネル連結構造であって、前記屋根パネルまたは前記壁パネルは周縁部にそれぞれ共通の形状で形成される嵌合溝を有し、前記嵌合溝が対向するように配置された一対のパネルは、その間にパッキンを介して、前記一対の嵌合溝で形成される嵌合孔と嵌合する嵌合部材の挿入により互いに連結されることを特徴とするパネル連結構造。
【請求項２】
パッキンを挟み込んだ状態で、パネルの周縁部に共通の形状で形成される嵌合溝が対向するように一対のパネルを配置して、前記パッキンを前記一対のパネル間で圧縮しながら、前記一対の嵌合溝で形成される嵌合孔に嵌合する嵌合部材を挿入して、前記一対のパネルを互いに連結することを特徴とするパネル連結方法。
【請求項３】
屋根パネルと複数枚の壁パネルとを備える収容函であって、前記壁パネルは周縁部にそれぞれ共通の形状で形成される嵌合溝を有し、前記嵌合溝が対向するよう配置された前記壁パネル同士を組み合わせて四方を囲み、前記壁パネル同士は、その間にパッキンを介して、前記一対の嵌合溝で形成される嵌合孔と嵌合する嵌合部材の挿入により互いに連結されるとともに、これらの壁パネル上を前記屋根パネルが覆うように配置され、前記屋根パネルと前記壁パネルは、嵌合部材を介して互いに連結されていることを特徴とする収容函。
【請求項４】
前記屋根パネルは、上向きに凸状となるように形成されることを特徴とする請求項３に記載の収容函。
【請求項５】
ベース上に壁パネルを設置する工程と、隣接する前記壁パネル同士が形成する嵌合孔に上から第１の嵌合部材を挿入して連結する工程と、屋根パネルに形成される嵌合溝に、前記壁パネルの上部に位置する嵌合溝に挿入された第２の嵌合部材を嵌合する工程とを有することを特徴とする収容函の組立方法。
【発明の詳細な説明】
【０００１】
【発明の属する技術分野】
本発明は、例えば、移動無線電話装置、光通信装置、業務無線装置等の通信システム、受変電装置、発電装置等の重電システム、又は大気観測装置等の観測システム、その他様々な産業機器、装置類等を収容する収容函に用いられるパネル連結構造、パネル連結方法、並びに、収容函及び収容函の組立方法に関するものである。
【０００２】
【従来の技術】
従来、様々な産業機器、装置類を収容するための収容函は、工場又は現地で複数のパネルを連結して箱型に組み立てられるようになっており、パネル同士の連結は、ボルトやリベットによるもの等をはじめ、様々な構造が用いられている。例えば、実用新案登録第２５７７３７３号公報には、屋根パネルと壁パネルの連結に際し、嵌合部材を用い、室内側から両者のボルト締めを行うことが開示されている。
具体的には、図１５に示すように、屋根パネル１０１と壁パネル１０２の連結に際し、壁パネル１０２に設けられるパネル枠材１０３と、屋根パネル１０１に設けられる屋根用型材１０４とを対向させて配置し、その間に嵌合部材１０５とバックアップ材１０６とパッキン１０７を挟んだ状態で、屋根用型材１０４、パッキン１０７、パネル枠材１０３を貫通するように、ボルト１０８およびナットにより室内側からボルト締めして、屋根パネル１０１と壁パネル１０２とを緊結する。
このような構造によれば、屋根パネル１０１にボルト１０８を貫通させないため、特に産業機器等を収容する収容函において、産業機器の故障の原因となる雨水等の漏水を防止できるという効果が得られる。
【０００３】
【発明が解決しようとする課題】
しかしながら、前記パネルの連結構造では、嵌合部材１０５を用いるものの依然としてボルト１０８によりボルト締めを行う必要があった。
そして、このように、ボルト１０８やリベット等を用いてパネルを連結する場合、ボルト締めやリベットの締結等の工程が必要であり、現場で組み立てるには、手間がかかるという問題があった。
また、ボルト１０８を貫通させるための貫通孔やリベットの締結のための貫通孔をパネルに形成すると、コーキングなどによっても完全な防水加工を施すことが困難である。したがって、前記実用新案登録公報においては、屋根パネル１０１の外側でボルト１０８を貫通させない屋根パネル１０１と壁パネル１０２との連結構造を記載しているが、収容函の横から吹き付ける雨風にも対応させるためには、屋根パネルと壁パネルとを連結する場合に限らず、壁パネル同士の連結にもボルト又はリベット等を用いないことが望まれる。
【０００４】
そこで、本発明は前記問題を解決すべく、ボルト又はリベットを用いないで各パネルの連結を行い、防水性を備えた収容函の組立を簡易に行うことができる、収容函に用いられるパネル連結構造、パネル連結方法、並びに、収容函及び収容函の組立方法を提供することを課題とする。
【０００５】
【課題を解決するための手段】
本発明は、前記課題を解決すべく構成されるものであり、請求項１に記載の発明は、屋根パネルと複数枚の壁パネルとを備える収容函に用いられるパネル連結構造であって、前記屋根パネルまたは前記壁パネルは周縁部にそれぞれ共通の形状で形成される嵌合溝を有し、前記嵌合溝が対向するように配置された一対のパネルは、その間にパッキンを介して、前記一対の嵌合溝で形成される嵌合孔と嵌合する嵌合部材の挿入により互いに連結されることを特徴とする。
【０００６】
請求項１に記載の発明によれば、収容函に用いられるパネル同士は、各パネルの嵌合溝が一対となって形成する嵌合孔に、嵌合部材を挿入されて、互いに連結される。したがって、パネル同士の連結に、ボルトおよびナットを必要としない簡易な連結構造を実現できる。
また、各パネルの周縁部にはそれぞれ共通の形状で嵌合溝が形成されている。そのため、嵌合溝に嵌合される嵌合部材の種類、および、各パネルの種類等をなるべく少なくして対応することができ、現場組立の構成部材のパッケージ等に都合がよい。
さらに、パネル同士の連結にボルト等を用いないことから、ボルト貫通孔を伝って雨水等が漏水することを防止できるとともに、パネル間に挟まれているパッキンによって、一層防水機能を高めることができる。
【０００７】
請求項２に記載の発明は、パッキンを挟み込んだ状態で、パネルの周縁部に共通の形状で形成される嵌合溝が対向するように一対のパネルを配置して、前記パッキンを前記一対のパネル間で圧縮しながら、前記一対の嵌合溝で形成される嵌合孔に嵌合する嵌合部材を挿入して、前記一対のパネルを互いに連結することを特徴とする。
【０００８】
請求項２に記載の発明によれば、各パネル同士は、その間にパッキンを挟み込み圧縮した状態で、各パネルの嵌合溝が一対となって形成する嵌合溝に、嵌合部材を挿入されて、互いに連結される。したがって、連結が完了したパネル間では、圧縮されたパッキンが再び元の形状に戻ろうとして膨張するため、パネル同士の間の隙間を埋めることができる。そのため、雨水等の漏水を防止することができる。
また、パネル同士の連結に、従来のようなボルト締め等の工程を必要としない簡易な連結方法を実現できる。
【０００９】
請求項３に記載の発明は、屋根パネルと複数枚の壁パネルとを備える収容函であって、前記壁パネルは周縁部にそれぞれ共通の形状で形成される嵌合溝を有し、前記嵌合溝が対向するよう配置された前記壁パネル同士を組み合わせて四方を囲み、前記壁パネル同士は、その間にパッキンを介して、前記一対の嵌合溝で形成される嵌合孔と嵌合する嵌合部材の挿入により互いに連結されるとともに、これらの壁パネル上を前記屋根パネルが覆うように配置され、前記屋根パネルと前記壁パネルは、その間にパッキンを介して、前記屋根パネルに形成される嵌合溝と前記壁パネルに形成される嵌合溝で形成される嵌合孔に嵌合する嵌合部材を挿入して互いに連結されていることを特徴とする。
【００１０】
請求項３に記載の発明によれば、収容函に用いられるパネル同士は、各パネルの嵌合溝が一対となって形成する嵌合溝に、嵌合部材を挿入されて、互いに連結される。したがって、パネル同士の連結に、従来のようなボルト締め等の工程を必要とせず、収容函を簡易に組み立てることができる。
また、パネル同士の連結にボルト等を用いないことから、パネルにボルトを貫通させるための貫通孔等を形成する必要がなく、収容函内に、貫通孔を伝って雨水等が漏水することを防止できるとともに、パネル間に挟まれているパッキンによって、一層防水機能を高めることができる。
【００１１】
請求項４に記載の発明は、請求項３に記載の発明の構成において、前記屋根パネルは、上向きに凸状となるように形成されることを特徴とする。
【００１２】
請求項４に記載の発明によれば、請求項３に記載の発明による作用に加え、屋根パネルが上向きに凸状で形成されていることから、熱や積雪によるたわみが抑えられる。そのため、雨水等が溜まりにくくなり、一層、収容函内の防水機能を高めることができる。
【００１３】
請求項５に記載の発明は、ベース上に壁パネルを設置する工程と、隣接する前記壁パネル同士が形成する嵌合孔に上から第１の嵌合部材を挿入して連結する工程と、前記屋根パネルに形成される嵌合溝に、前記壁パネルの上部に位置する嵌合溝に挿入された第２の嵌合部材を嵌合する工程とを有することを特徴とする。
【００１４】
請求項５に記載の発明によれば、収容函に用いられる各パネル同士は、各パネル同士が形成する嵌合溝に、嵌合部材を挿入して、互いに連結される。したがって、パネル同士の連結に、従来のようなボルト締め等の工程を必要としない収容函の簡易な組立方法を実現できる。
また、各パネル等の連結にボルトなどを用いないことから、ボルト貫通孔を伝って雨水が漏水することを防止できる。
【００１５】
【発明の実施の形態】
以下、図面を参照して、本発明の一実施の形態について詳細に説明する。
参照する図面において、図１は本発明の実施形態に係る収容函の斜視図、図２は本実施形態に係る収容函の分解斜視図である。
【００１６】
図１、図２に示す本実施形態に係る収容函１は、ベース１３上において、屋根パネル１０Ａ，１０Ｂと、壁パネル１１と、コーナー柱１２とを嵌合部材２０，２１を介して連結することにより収容函として形成される。連結される際には、連結される各パネル１０Ａ，１０Ｂ，１１、およびコーナー柱１２の間には、それぞれパッキン２３が挟み込まれている。なお、壁パネル１１およびコーナー柱１２は〔特許請求の範囲〕の「壁パネル」に相当する。
【００１７】
図３は壁パネルの分解斜視図である。壁パネル１１は、板材１１ｂ，１１ｂの間に、断熱材１１ａ、枠材１４、角枠１５を挟み込んで構成される。
断熱材１１ａは、たとえば、硬質ポリウレタンフォームなどからなり、収容函１内の断熱効果を高めるものである。断熱材１１ａは、板材１１ｂ、１１ｂの間の中央付近に配置される。
板材１１ｂ，１１ｂは、アルミニウム合金などからなり、断熱材１１ａより一回り大きい長方形に形成される。板材１１ｂ，１１ｂの間においては、枠材１４が四方の周側面１１ｃ，１１ｃ，１１ｃ，１１ｃに沿ってそれぞれ配置され、また、角枠１５が板材１１ｂ，１１ｂの四隅に配置されている。枠材１４および角枠１５は、いずれの周側面にあっても、同一の（共通の）形状を有している。なお、周側面１１ｃは〔特許請求の範囲〕の「周縁部」に相当する。
【００１８】
図４は枠材１４と角枠１５の連結を説明する図である。
枠材１４は、アルミニウム合金などからなり、後記する嵌合部材２０，２１と嵌合して各パネル同士を連結するために、板材１１ｂ，１１ｂの周側面１１ｃに配置される。
枠材１４は、断面視Ｔ字状の嵌合溝１４ａと、嵌合溝１４ａの両側に位置し、後記する角枠１５の脚部１５ｃを嵌め込まれる孔１４ｂ，１４ｂとを有する。
なお、嵌合溝１４ａの開口部付近の内周面には、ねじ山を形成することが好ましい。このように構成することで、壁パネル１１がベース１３上にボルト締めして設置される際に、ボルト貫通孔としての機能も果たすことができる。
【００１９】
角枠１５は、本体１５ａと、フランジ１５ｂ，１５ｂと、脚部１５ｃ，１５ｃ，１５ｃ，１５ｃとを有する。
角枠１５は、板材１１ｂ，１１ｂの四隅に配置され、枠材１４の孔１４ｂに脚部１５ｃが嵌め込まれる。
【００２０】
本体１５ａは断熱材１１ａの角をかたどった形状を有する。また、フランジ１５ｂ，１５ｂは、本体１５ａの厚さ方向の両端に形成される。フランジ１５ｂ，１５ｂは、外周が板材１１ｂの各周側面１１ｃと重なるように、本体１５ａより一回り大きく形成される。
脚部１５ｃ，１５ｃ，１５ｃ，１５ｃは、二方向に位置する枠材１４，１４の孔１４ｂ，１４ｂ，１４ｂ，１４ｂに嵌め込めるように、フランジ１５ｂ，１５ｂから突出するように形成される。
枠材１４，１４間に角枠１５を介することで、嵌合溝１４ａの溝から角枠１５の本体１５ａを通じる溝を形成でき、水平方向、鉛直方向のいずれの方向にも嵌合部材２０，２１を挿入することができる。
【００２１】
図５は、壁パネル１１とコーナー柱１２が嵌合部材２０を介して連結されている状態を説明する図である。
コーナー柱１２は、収容函１の四隅に配置される柱である（図１参照）。コーナー柱１２は、直角方向に配置される壁パネル１１，１１間に位置し、両壁パネル１１と嵌合部材２０を介して連結されるため、長手方向のそれぞれの周側面１２ａ，１２ａには、枠材１４に形成されたのと同様の形状の嵌合溝１２ｂが形成される。
【００２２】
以下、図６、図７を参照して、屋根パネル１０Ａ，１０Ｂについて説明する。図６は、屋根パネル１０Ａ，１０Ｂの連結状態を説明する分解断面図、図７は、屋根パネル１０Ａ，１０Ｂの底面図である。
屋根パネル１０Ａ，１０Ｂは、四周を囲うように組み合わされた壁パネル１１およびコーナー柱１２の上部に被せられる。屋根パネル１０Ｂは、屋根パネル１０Ａ，１０Ａ間に配置される屋根パネルである（図１参照）。
【００２３】
屋根パネル１０Ａは、壁パネル１１とほぼ同様に、板材１０ｂ，１０ｂの間に、断熱材１０ａ、枠材１６，１７、角枠１８を挟み込んで構成されている。
屋根パネル１０Ａの板材１０ｂ，１０ｂの間においては、枠材１６が、屋根パネル１０Ｂに隣接しない三方の周側面に沿ってそれぞれ配置され、また、角枠１８が枠材１６に挟まれる２つの角に配置されている。枠材１６および角枠１８（図８参照）は、いずれの周側面にあっても、同一の（共通の）形状を有している。また、屋根パネル１０Ｂに隣接する周側面には、枠材１７が配置されている。
【００２４】
図６、図７に示す枠材１６は、屋根パネル１０Ａ，１０Ｂと壁パネル１１を、嵌合部材２１を介して連結するために設けられる。枠材１６には、壁パネル１１と連結する側の屋根パネル１０Ａ，１０Ｂの面（下面）で開口する凹部１６ａが形成される。この凹部１６ａは、壁パネル１１を挟み込む部分であるため、壁パネル１１の厚さと略同一の幅を有する。
また、枠材１６には、凹部１６ａのさらに奥に嵌合部材２１と嵌合する嵌合溝１６ｂが形成され、嵌合溝１６ｂの開口部付近では、嵌合部材２１を係止する係止部１６ｃ，１６ｃが嵌合溝１６ｂ方向に延出している。
嵌合溝１６ｂの両側には、角枠１８を嵌め込むための孔１６ｄ，１６ｅが設けられ、それぞれ平行に配置される。
【００２５】
図６に示すように、枠材１７は、断面視略コの字状の枠部１７ａと、上に向けて突出する垂直片１７ｂを有する。
【００２６】
図８は、角枠１８の斜視図、（ｂ）は、角枠１８と枠材１６との連結を説明する図である。
角枠１８は、本体１８ａと、脚部１８ｂ，１８ｃとを有する。
【００２７】
本体１８ａは断熱材１０ａの角をかたどった形状を有する。
脚部１８ｂ，１８ｃは、枠材１６の孔１６ｄ、１６ｅにそれぞれ嵌め込むことができるように、本体１８ａの両端部からそれぞれ突出するように形成される。脚部１８ｂと脚部１８ｃは平行に配置されて、脚部１８ｂは孔１６ｄに合わせた形状に、また、脚部１８ｂの内側に配置される脚部１８ｃは、孔１６ｅに合わせた形状に形成される。
【００２８】
次に、図６、図７を参照して、屋根パネル１０Ｂについて説明する。なお、屋根パネル１０Ｂは屋根パネル１０Ａの構成を一部変更したものであるため、同一の構成要素について、同一の符号を付し、その説明を省略する。
屋根パネル１０Ｂは、板材１０ｂ，１０ｂの間に、断熱材１０ａ、枠材１６，１７を挟みこんで構成されている。
屋根パネル１０Ｂの板材１０ｂ、１０ｂの間においては、枠材１６が、屋根パネル１０Ａに隣接しない２つの周側面に沿って配置され、また、周側面１０ｄ，１０ｄに挟まれた周側面には、枠材１７が配置されている。
【００２９】
図６に示す屋根パネル１０Ｂは、屋根パネル１０Ａ，１０Ａ間に配置され、補強材１９により、屋根パネル１０Ａと連結される。
補強材１９は、断面視略Ｔ字状をしており、その長手方向は上方向に凸状となっている。屋根パネル１０Ａ，１０Ｂ間を補強材１９により連結することにより、連結された屋根パネルが全体として、上方向に多少凸状となることができる（図１４参照）。
【００３０】
図５を参照しながら、嵌合部材２０について説明する。
嵌合部材２０は、壁パネル１１と壁パネル１１、または壁パネル１１とコーナー柱１２を連結する。嵌合部材２０は、壁パネル１１，１１またはコーナー柱１２の嵌合溝１４ａ，１４ａ（または１４ａ，１２ｂ）が一対となって形成する嵌合孔Ｈ１に嵌合する形状で形成される。そのため、嵌合部材２０は断面視略Ｈ状の細長い部材として形成される。また、その長さは壁パネル１１およびコーナー柱１２より若干短いくらいである。嵌合部材２０は、アルミニウム合金などでできている。
【００３１】
図９（ａ）は嵌合部材２１を介して屋根パネル１０Ａ，１０Ｂと壁パネル１１が連結される状態を説明する図、図９（ｂ）は連結された屋根パネル１０Ａ，１０Ｂと壁パネル１１の断面図である。
嵌合部材２１は、壁パネル１１と屋根パネル１０Ａ，１０Ｂを連結する。嵌合部材２１は、壁パネル１１の枠材１４の嵌合溝１４ａと屋根パネル１０Ａ，１０Ｂの枠材１６の嵌合溝１６ｂが一対となって形成する嵌合孔Ｈ２に嵌合する形状を有する。具体的には、嵌合部材２１は、嵌合溝１４ａと嵌合できる断面視略コの字状の嵌合片２１ａと、嵌合溝１６ｂに嵌合できる断面視略Ｌ字状の嵌合片２１ｂ，２１ｂと、嵌合片２１ｂの先端外側に突出形成される係止片２１ｃと、嵌合片２１ａと嵌合片２１ｂ，２１ｂとを接合する連結部２１ｄ，２１ｄとを有する。連結部２１ｄ，２１ｄの配置間隔は嵌合片２１ａの幅より狭くなっている。
【００３２】
合成ゴムなどからなるパッキン２３は、連結される各パネル１０，１１（または壁パネル１１とコーナー柱１２）の間に挟み込まれる（図５、図９（ｂ）、図６も参照）。
各パネル１０Ａ（１０Ｂ），１１、またはコーナー柱１２を連結する際には、パッキン２３は、嵌合孔Ｈ１，Ｈ２をふさがないように、嵌合孔Ｈ１，Ｈ２の両側に挟み込むようにする。また、屋根パネル１０Ａ，１０Ｂ同士を連結する際には、垂直片１７ｂ間に挟みこむようにする。
【００３３】
図１０は、ベースの側面図である。
ベース１３は、おもに鉄などからなり、断面視略Ｌ字状の本体部１３ａと本体部１３ａの上端部に線溶接される断面視略Ｌ字状の連結片１３ｂとからなる。なお、連結片１３ｂには、壁パネル１１を接合するためのボルト貫通孔（不図示）が形成されている。
ベース１３は、ベタコンクリート上に四周を囲むように設置され、収容函１の基盤となる（図１参照）。
【００３４】
次に、本実施形態に係る収容函１の組立方法について説明する。
図１１は本実施形態に係る収容函１の断面図、図１２は図１１のＡ−Ａ線断面図である。
【００３５】
まず、ベタコンクリート上に図１０に示すベース１３をアンカーボルト等により四周を囲むように設置する（図１、図１２参照）。図は省略するが、四周に配置されたベース１３の内側には鉄製の角パイプが接合されその上に鉄製の床板が線溶接等されている。ちなみに、床板には断熱材入りのものをもちいると都合がよい。このような構成により、収容函１内の断熱効果を高めることができる。
そして、ベース１３の連結片１３ｂにおいて、ボルト貫通孔および壁パネル１１の枠材１４の嵌合溝１４ａを通じて、ボルトＢ１により、壁パネル１１がベース１３に接合される。このとき、嵌合溝１４ａの内周面にねじ山が形成されていることにより、ボルトＢ１と係合することができる。
【００３６】
壁パネル１１が、ベース１３上に沿って、四周を囲むように設置されるときに、パッキン２３を隣接する各壁パネル１１間、および壁パネル１１とコーナー柱１２の間に挟み込む。作業効率をあげるために、予め一方の壁パネル１１またはコーナー柱１２の周側面に嵌合孔Ｈ１をふさがないようにパッキン２３を貼り付けておいてもよい。
【００３７】
隣接する壁パネル１１同士、または隣接する壁パネル１１とコーナー柱１２を互いに押し合うようにしてパッキン２３を圧縮しながら、嵌合溝１４ａが一対となって形成する嵌合孔Ｈ１に、嵌合部材２０を上から嵌挿する。このようにして、壁パネル１１、コーナー柱１２は連結される（図５参照）。
【００３８】
なお、図１１に示すように、ドア枠を取り付けた壁パネル１１’であっても、周側面に嵌合溝１１’ａを嵌合溝１４ａと同一の形状とすることで、ドア枠を取り付けた壁パネル１１’の連結に特別な作業を必要とせず、作業工程を簡略化できる。
【００３９】
図１３は、壁パネル１１の上部に位置する嵌合溝１４ａに嵌合部材２１を嵌め込んだ側面図である。
図１３に示すように、壁パネル１１の上部に位置する嵌合溝１４ａに、嵌合部材２１を嵌挿する。嵌合部材２１の配置方法は自由に設定可能であるが、各壁パネル１１に２個、ある間隔で配置するようにしてもよい。
なお、壁パネル１１をベース１３上に設置する前に、予め嵌合部材２１を嵌挿しておいてもよい。
【００４０】
次に図９を参照しながら説明する。
壁パネル１１と屋根パネル１０間にも、まず、パッキン２３を挟み込んでおく。
壁パネル１１に嵌挿された嵌合部材２１に屋根パネル１０の嵌合溝１６ｂが合致するように、四周を囲むように配置された壁パネル１１の端から屋根パネル１０Ａ，１０Ｂを一枚ずつ被せる。嵌合部材２１の嵌合片２１ｂが嵌合溝１６ｂ内に入り込み、係止部１６ｃ，１６ｃにより嵌合片２１ｂが係止される。なお、嵌合部材２１に係止片２１ｃ，２１ｃが設けられていることから、屋根パネル１０と壁パネル１１との嵌め合いを一層確実にすることができる。
【００４１】
四周に囲んだ壁パネル１１の上部を屋根パネル１０ですべて覆った後は、屋根パネル１０Ａ，１０Ｂを、収容函の内部から連結して、屋根パネル全体を補強する。屋根パネル１０Ａ，１０Ｂ間には、前記同様にパッキン２３を挟みこんでおく。
具体的には、図６に示すように、補強材１９の垂直片１９ａを収容函の内部から各屋根パネル１０Ａ，１０Ｂ間に挟み込み、水平片１９ｂ，１９ｂと枠部１７ａを通じて、ボルトＢ２により屋根パネル１０Ａ，１０Ｂと接合する。なお、パッキン２３は、垂直片１９ａより上部に挟み込まれている。
【００４２】
さらに、雨よけのために、屋根パネル１０Ａ，１０Ｂの継ぎ目には、上からアルミキャップ２４を被せる。このアルミキャップ２４は、屋根パネル１０の枠材１７の垂直片１７ｂに覆いかぶさることができるような断面視略ハット状に形成されており、両面テープなどで、屋根パネル１０Ａ，１０Ｂに貼付される。
【００４３】
以上によれば、本実施形態に係る収容函１において、次のような効果が得られる。
収容函に用いられる各パネル１０Ａ，１０Ｂ，１１、およびコーナー柱１２は、これらに設けられる嵌合溝１４ａ，１６ｂ等が一対となって形成する嵌合溝Ｈ１，Ｈ２に、嵌合部材２０，２１を挿入されて、互いに連結される。したがって、各パネル１０，１１、およびコーナー柱１２の連結に、従来のようなボルト締め等の工程を必要としない簡易な連結構造を実現できるとともに、収容函１を簡易に組み立てることができる。
【００４４】
また、各パネル１０Ａ，１０Ｂ，１１、コーナー柱１２の連結に際して、外部からボルト締め等を行わないことから、各パネル１０Ａ，１０Ｂ，１１にボルトを貫通させるための貫通孔等を形成する必要がなく、貫通孔を伝って雨水等が漏水することを防止できるとともに、各パネル１０Ａ，１０Ｂ，１１、およびコーナー柱１２の間に挟まれているパッキン２３によって、一層防水機能を高めることができる。
【００４５】
各パネル１０Ａ，１０Ｂ，１１、およびコーナー柱１２の周側面にはそれぞれ共通の形状で嵌合溝が形成されている。そのため、嵌合溝に嵌合される嵌合部材の種類、および、各パネルの種類等をなるべく少なくして対応することができるため、現場組立の構成部材のパッケージ等に都合がよい。
さらに、各パネル１０Ａ，１０Ｂ，１１、およびコーナー柱１２は、それぞれ嵌合部材２０，２１を介して連結されるため、壁パネル１１の枚数を何枚でも増やして、収容函を組み立てることができる。そのため、収容函１の大きさを用途に合わせて、自由に設定することが簡単になるとともに、材料を細分化できることから、現場組立する場合の運搬に際しても都合が良い。
【００４６】
また、各パネル１０Ａ，１０Ｂ，１１、およびコーナー柱１２は、その間にパッキン２３を挟み込み圧縮した状態で、各パネル１０Ａ，１０Ｂ，１１、およびコーナー柱１２の嵌合溝１４ａ，１６ｂが一対となって形成する嵌合溝Ｈ１，Ｈ２に、嵌合部材２０，２１を挿入されて、互いに連結される。したがって、連結が完了した各パネル１０Ａ，１０Ｂ，１１、およびコーナー柱１２間では、圧縮されたパッキン２３が再び元の形状に戻ろうとして膨張するため、各パネル１０Ａ，１０Ｂ，１１、およびコーナー柱１２の間の隙間を埋めることができる。そのため、雨水等の漏水を防止することができる。
【００４７】
各パネル１０Ａ，１０Ｂ，１１、およびコーナー柱１２の連結に、従来のようなボルト締め等の工程を必要としない簡易な連結方法を実現できる。
【００４８】
また、屋根パネル１０Ａ，１０Ｂが補強材１９により接合されていることにより、屋根パネルが全体として上向きに凸状で形成され、熱や積雪によるたわみが抑えられる。そのため、雨水等が溜まりにくくなり、一層、収容函内の防水機能を高めることができる。
【００４９】
以上、本発明は、前記実施形態に限定されることなく、様々な形態で実施される。
本実施形態では、嵌合溝１４ａが一対となって形成する嵌合孔Ｈ１の形状をＨ字状としたが、本発明はこれに限定されず、様々な形状で実施される。形状を変更する場合には、嵌合部材が嵌合孔に嵌挿できるような形状に形成される。
その他、屋根パネル１０Ａ，１０Ｂ、壁パネル１１、コーナー柱１２などの材質・形状などは適宜変更可能であることはいうまでもない。
【００５０】
【発明の効果】
本発明に係るパネル連結構造、パネル連結方法、収容函及び収容函の組立方法によれば、防水機能を備えた簡易な連結構造を実現でき、収容函の組み立ても簡易に行うことができる。
【図面の簡単な説明】
【図１】本発明の実施形態に係る収容函の斜視図である。
【図２】本実施形態に係る収容函の分解斜視図である。
【図３】壁パネルの分解斜視図である。
【図４】枠材と角枠の連結を説明する図である。
【図５】壁パネル１１とコーナー柱１２が嵌合部材２０を介して連結されている状態を説明する図である。
【図６】屋根パネルの連結状態を説明する分解断面図である。
【図７】屋根パネル１０Ａ，１０Ｂの底面図である。
【図８】（ａ）は角枠の斜視図、（ｂ）は角枠と枠材との連結を説明する図である。
【図９】（ａ）は嵌合部材を介して屋根パネル１０Ａ，１０Ｂと壁パネル１１が連結される状態を説明する図、（ｂ）は連結された屋根パネル１０Ａ，１０Ｂと壁パネル１１の断面図である。
【図１０】ベース１３の側面図である。
【図１１】本実施形態に係る収容函１の断面図である。
【図１２】図１１のＡ−Ａ線断面図である。
【図１３】壁パネルの上部に位置する嵌合溝に嵌合部材を嵌め込んだ側面図である。
【図１４】屋根パネル１０Ａ，１０Ｂ同士の連結を説明する図であり、（ａ）は連結前の屋根パネル１０Ａ，１０Ｂと補強材１９の側面図、（ｂ）は連結後の屋根パネル１０Ａ，１０Ｂと補強材１９の側面図である。
【図１５】従来の屋根パネルおよび壁パネルの連結を説明する側面図である。
【符号の説明】
１　　　　収容函
１０Ａ，１０Ｂ　　屋根パネル
１１　　　壁パネル
１２　　　コーナー柱
１３　　　ベース
１４，１６，１７　枠材
１５，１８　　　　角枠
１９　　　補強材
２０，２１　　　　嵌合部材
２３　　　パッキン
【図１】
2004084293.tif 000003
【図２】
2004084293.tif 000004
【図３】
2004084293.tif 000005
【図４】
2004084293.tif 000006
【図５】
2004084293.tif 000007
【図６】
2004084293.tif 000008
【図７】
2004084293.tif 000009
【図８】
2004084293.tif 000010
【図９】
2004084293.tif 000011
【図１０】
2004084293.tif 000012
【図１１】
2004084293.tif 000013
【図１２】
2004084293.tif 000014
【図１３】
2004084293.tif 000015
【図１４】
2004084293.tif 000016
【図１５】
2004084293.tif 000017